(57)【要約】【課題】暗渠形式または蓋付きののコンクリート製側溝本体に雨水等の集水窓を形成した排水舗装用側溝において、集水窓にフィルターを簡単かつ確実に、しかも無駄なく取り付けることができる。【解決手段】暗渠形式または蓋付きのコンクリート製側溝本体に雨水等の集水窓を形成した排水舗装用側溝において、集水窓５は側溝本体４の内部空間４ａに通じる透孔口６を中央に位置させて、その周囲に受盤状の凹部７を形成し、その凹部７に設けられた係止穴８または係止突起に対して、フィルター裏面に設けた係止突起１１または係止穴を嵌入させて係止させる。【選択図】        図１
2004183216.tif 000002
【特許請求の範囲】
【請求項１】
暗渠形式または蓋付きのコンクリート製側溝本体に雨水等の集水窓を形成した排水舗装用側溝において、集水窓は側溝本体の内部空間に通じる透孔口を中央に位置させて、その周囲に受盤状の凹部を形成し、その凹部に設けられた係止穴または係止突起に対して、フィルター裏面に設けた係止突起または係止穴を嵌入させて係止させることを特徴とする排水舗装用側溝の排水フィルター。
【請求項２】
フィルター裏面に設けた係止突起が円柱状など任意の形状で、その先端部をスリットにより割体とする請求項１記載の排水舗装用側溝の排水フィルター。
【請求項３】
フィルター裏面に設けた係止穴が円など任意の形状で、その穴部をスリットにより割体とする請求項１記載の排水舗装用側溝の排水フィルター。
【発明の詳細な説明】
【０００１】
【発明の属する技術分野】
本発明は、例えば表面が透水性舗装部に舗装された道路の路肩や公園、その他の公共施設、工場施設等の敷地等に配設することにより、透水性舗装部の表面を流れたり、内部に滲み込む雨水等の排水を効率的に行うのに最適に使用する排水舗装用側溝の排水フィルターに関するものである。
【０００２】
【従来の技術】
従来、路面の路端に上方を開口したＵ字状側溝ブロックを多数列設して側溝を形成し、路面の表面雨水を集めて排水する構造は広く知られている。しかしながら、従来からの上方開口の側溝では、石、缶、草、枝等が流れ込んで側溝が詰まりがちとなる。又路端の開口で脱輪する危険もあった。
【０００３】
一方、道路舗装には、工事が迅速に行なえること、安価に資材費を入手できること、舗装面にある程度の弾性を有すること、季節に応じて外気の温度により、凍結したり、ひび割れが生じにくい等の点からアスファルトが使用されていて、近年、雨水を地下に還元すること等を目的とした透水性アスファルト舗装も年々多く採用されてきている。
【０００４】
透水性アスファルト舗装は、粗骨材を主体とした構成を有することにより、例えば１５〜２５％程度の高い空隙率と、例えば１×１０−２〜１０−１程度の大きな透水係数を有し、舗装面に降り注いだ雨水を容易に通過させ、路盤や路床に浸透させてこの雨水を地下に還元することができる。
【０００５】
このような透水性アスファルト舗装での排水溝として、透水性舗装部に舗装された道路の路肩に敷設し、道路表面を流れたり、路面に滲み込む雨水等の排水を効率的に行うのに最適に使用し、道路の幅員も広く、安全運転に寄与し、透水性舗装部の端面の浸食や品質の劣化、地盤の沈下等をなくすことができるものとして下記特許出願がある。
【０００６】
【特許文献１】
特開平８−２０９７９１号公報
【０００７】
これは、図１１、図１２に示すようコンクリート製である排水溝本体１の道路Ｄに面する一側に、表面の透水性舗装部２の端部が敷設可能な受容段部１ｂを厚さｔに略相当して凹設し、該受容段部１ｂの上面には透水性舗装部２内に滲み込む雨水等の集水孔１ｂ１を設け、透水性舗装部２の端面に沿ってスリット１ｂ２を設けた構成により、雨水の集水、排水を効率的に行うものである。
【０００８】
排水溝本体１は内部に排水孔１ａを有する暗渠形式のものが使用され、集水孔１ｂ１は前記受容段部１ｂの上面に適宜の間隔をあけて設けた複数個の孔であり、入口側は広いが、排水孔１ａに通ずる奥の出口側は狭く形成されることにより、雨水が排水孔１ａ内に集水されて導入され易くなっている。
【０００９】
そして、例えばステンレスにより形成されるメッシュ３を前記集水孔１ｂ１の上面に被せてゴミの侵入を阻止する。このメッシュ３は透水性舗装部２を施工する際に側溝の中に舗装材が入り込まないようにする役割も有する。
【００１０】
【発明が解決しようとする課題】
このような集水孔１ｂ１を有する排水溝本体１でメッシュ３は集水孔１ｂ１以外の部分も敷設されるもので、無駄が多く、また、コンクリート製である排水溝本体１への固定も難しい。
【００１１】
本発明の目的は前記従来例の不都合を解消し、暗渠形式のコンクリート製側溝本体に雨水等の集水窓を形成した排水舗装用側溝において、フィルターを集水窓に簡単かつ確実に、しかも無駄なく取り付けことができる排水舗装用側溝の排水フィルターを提供することにある。
【００１２】
【課題を解決するための手段】
本発明は前記目的を達成するため、暗渠形式または蓋付きのコンクリート製側溝本体に雨水等の集水窓を形成した排水舗装用側溝において、集水窓は側溝本体の内部空間に通じる透孔口を中央に位置させて、その周囲に受盤状の凹部を形成し、その凹部に設けられた係止穴または係止突起に対して、フィルター裏面に設けた係止突起または係止穴を嵌入させて係止させること、および、フィルター裏面に設けた係止突起が円柱状など任意の形状で、その先端部をスリットにより割体とすること、または、フィルター裏面に設けた係止穴が円など任意の形状で、その穴部をスリットにより割体とすることを要旨とするものである。
【００１３】
請求項１記載の本発明によれば、暗渠形式のコンクリート製側溝本体は雨水等の集水窓を形成してここから路面に滲み込む雨水等の排水を効率的に行うことができ、しかも、この集水窓毎にフィルターを配設して無駄がないものであり、フィルターにより側溝の中に舗装材が入り込まないようにしたり、ゴミの侵入を阻止することができる。また、フィルターは合成樹脂製のスリットを有するフィルター板であり、これを受盤状の凹部に配設するだけでセットでき、また、外側に出っぱることもないので邪魔にならず、離脱するおそれも少ない。
【００１４】
また、フィルター板は裏面に形成した円柱状等任意形状の突起または係止穴を受盤状の凹部に設けた穴または突起に嵌入させるだけで係止することができるので、簡単かつ迅速に装着できる。
【００１５】
請求項３および請求項４記載の本発明によれば、フィルター裏面に設けた係止突起または係止穴は、先端をスリットにより十字割りとするもしくは、スリットにより割体とするので、これにより先端部が窄まり状態で穴に嵌入され、広がろうとする力で穴の周面に押圧し、抜け出ようとすることを防止できる。
【００１６】
【発明の実施の形態】
以下、図面について本発明の実施形態を詳細に説明する。図１は本発明の排水舗装用側溝の排水フィルターの１実施形態を示す要部の正面図、図２は同上縦断側面図で、図中４は暗渠形式または蓋付きのコンクリート製側溝本体で、これには適宜の間隔をあけて雨水等の集水窓５を形成している。
【００１７】
集水窓５は、側溝本体４の内部空間４ａに通じる透孔口６を中央に位置させてその周囲に偏平な受盤状の凹部７を形成した。この透孔口６からの透孔は入口側は広いが、内部空間４ａに通ずる奥の出口側は狭く形成されることにより、雨水が内部空間４ａ内に集水されて導入され易くなっている。
【００１８】
側溝本体４の形状も図３に示すように矩形の函体で、角の面取りがないもの（同図ａ）や、あるもの（同図ｂ）など色々の形状のものがあり、また、集水窓５は側面上部に設けるものであるが、前記透孔口６の形状は図示のように平面矩形であっても良いし、或いは平面略円形、上がアーチのドーム形（図９参照）、三角形等の適宜形状に形成されてもよい。
【００１９】
また、受盤状の凹部７の形状も含めて集水窓５自体の形状も、図示の平面矩形の他に平面略円形、その他の形状であってもよい。
【００２０】
さらに、受盤状の凹部７には透孔口６の左右に穴８を形成した。この穴８は受盤状の凹部７や透孔口６の形成とともに側溝本体４の型枠形成時にピン等を用いて型枠形成することができる。
【００２１】
図１中、９は前記受盤状の凹部７に配設するフィルターとしての合成樹脂製のフィルター板で、図４〜図６に示すようにスリット１０を有し、また、裏面に円柱状突起１１を一体的に形成した。この円柱状突起１１の径および長さは前記穴８に見合うものとする。
【００２２】
さらに、前記円柱状突起１１は、先端をスリット１２により十字割りとした。なお、図示は省略するが、この円柱状突起１１の先端は多少外周を膨出させてもよい。
【００２３】
このようにして、側溝本体４は集水窓５に合成樹脂製のフィルター板９を配設するには、円柱状突起１１を穴８に嵌入させながら受盤状の凹部７に収めるようにすればよい。フィルター板９は受盤状の凹部７に収まり、外側に出ないので離脱するしそれも少なく、体裁もよい。
【００２４】
この合成樹脂製のフィルター板９は、埋設する以前の側溝本体４に予め取り付けておいたり、埋設する際に取付けたりすることが可能である。
【００２５】
なお、フィルター板９は合成樹脂製以外の材質のものでもよく、円柱状突起１１に変えて穴を設け、この穴に対して受盤状の凹部７には透孔口６の左右に突起を形成し、これらを嵌合させてもよい。
【００２６】
フィルター板９の裏面に設ける係止穴は円など任意の形状で、その穴部をスリットにより割体とする。
【００２７】
【発明の効果】
以上述べたように本発明の排水舗装用側溝の排水フィルターは、暗渠形式のコンクリート製側溝本体に雨水等の集水窓を形成した排水舗装用側溝において、集水窓にフィルターを簡単かつ確実に、しかも無駄なく取り付けることができるものである。
【図面の簡単な説明】
【図１】本発明の排水舗装用側溝の排水フィルターの１実施形態を示す要部の正面図である。
【図２】本発明の排水舗装用側溝の排水フィルターの１実施形態を示す要部の縦断側面図である。
【図３】側溝本体の例を示す斜視図である。
【図４】合成樹脂製のフィルター板の裏面図である。
【図５】図４のＡ−Ａ線断面図である。
【図６】図４のＢ−Ｂ線断面図である。
【図７】集水窓の一例を示す正面図である。
【図８】図７のＣ−Ｃ線端面図である。
【図９】集水窓の他例を示す正面図である。
【図１０】フィルター板を取付けた集水窓の正面図である。
【図１１】従来例を示す縦断側面図である。
【図１２】従来例を示す平面図である。
【符号の説明】
１…排水溝本体                        １ｂ…受容段部
１ａ…配水孔
１ｂ１…集水孔                          １ｂ２…スリット
２…透水性舗装部                      ３…メッシュ
４…側溝本体                          ４ａ…内部空間
５…集水窓                            ６…透孔口
７…受盤状の凹部                      ８…穴
９…フィルター板                      １０…スリット
１１…円柱状突起                      １２…スリット
【図１】
2004183216.tif 000003
【図２】
2004183216.tif 000004
【図３】
2004183216.tif 000005
【図４】
2004183216.tif 000006
【図５】
2004183216.tif 000007
【図６】
2004183216.tif 000008
【図７】
2004183216.tif 000009
【図８】
2004183216.tif 000010
【図９】
2004183216.tif 000011
【図１０】
2004183216.tif 000012
【図１１】
2004183216.tif 000013
【図１２】
2004183216.tif 000014